(57)【要約】【課題】マルチライン駆動において、視線の変化等に起因した筋状のむらを抑制し、表示品質の向上を図る。【解決手段】１フレームを分割することによって規定される各フィールドｓｆ1〜ｓｆ4において、走査電極群を分割することによって得られる複数のグループからｋ（ｋは２以上の整数）本の走査電極を同時に選択し、フィールド毎に設定される選択電圧パターンとしてのｋ個の電圧極性の並びに応じて、ｋ本の走査電極に選択電圧を印加する。この選択電圧パターンに記述された一方の電圧極性は、フィールドの推移に伴い連続的にシフトしている。【選択図】図２
2005292585.tif 000002
【特許請求の範囲】
【請求項１】
電気光学装置において、
走査電極群および信号電極群の交差に対応して画素群が設けられた表示部と、
１フレームを分割することによって規定される一連のフィールドのそれぞれにおいて、
前記走査電極群を分割することによって得られる複数のグループからｋ（ｋは２以上の整
数）本の走査電極を同時に選択し、前記フィールド毎に設定される選択電圧パターンとし
てのｋ個の電圧極性の並びに応じて、前記ｋ本の走査電極に選択電圧を印加する走査線駆
動回路と、
前記ｋ本の走査電極および信号電極の交差に対応した表示パターンと、前記選択電圧パ
ターンとを比較し、当該比較結果に基づき設定された信号電圧を前記信号電極に印加する
データ線駆動回路とを有し、
前記選択電圧パターンに記述された一方の電圧極性は、前記フィールドの推移に伴い連
続的にシフトしていることを特徴とする電気光学装置。
【請求項２】
前記選択電圧パターンは、前記フィールドのそれぞれにおいて、電圧極性が順番に組み
替えられていることを特徴とする請求項１に記載された電気光学装置。
【請求項３】
前記走査線駆動回路は、前記表示部において隣接した前記走査電極の集合である前記グ
ループのそれぞれから、分散した前記ｋ本の走査電極を同時に選択することを特徴とする
請求項１または２に記載された電気光学装置。
【請求項４】
前記走査線駆動回路は、前記表示部において分散した前記走査電極の集合である前記グ
ループのそれぞれから、隣接した前記ｋ本の走査電極を同時に選択することを特徴とする
請求項１または２に記載された電気光学装置。
【請求項５】
前記走査線駆動回路は、前記選択電圧パターンを構成するそれぞれの電圧極性を前記フ
ィールド数分に並べることによって規定されるｋ個のコモンパターンを前記グループのそ
れぞれに対して、正転および反転させながら繰り返し割り当てることを特徴とする請求項
３または４に記載された電気光学装置。
【請求項６】
請求項１から５のいずれかに記載された電気光学装置を実装したことを特徴とする電子
機器。
【請求項７】
走査電極群と信号電極群との交差に対応して画素群が設けられた表示部を有する電気光
学装置の駆動方法において、
１フレームを分割することによって規定される一連のフィールドのそれぞれにおいて、
前記走査電極群を分割することによって得られる複数のグループからｋ（ｋは２以上の整
数）本の走査電極を同時に選択し、前記フィールド毎に設定される選択電圧パターンとし
てのｋ個の電圧の並びに応じて、前記ｋ本の走査電極に選択電圧を印加する第１のステッ
プと、
前記ｋ本の走査電極および信号電極の交差に対応した表示パターンと、前記選択電圧パ
ターンとを比較し、当該比較結果に基づき設定された信号電圧を前記信号電極に印加する
第２のステップとを有し、
前記選択電圧パターンに記述された一方の電圧極性は、前記フィールドの推移に伴い連
続的にシフトしていることを特徴とする電気光学装置の駆動方法。
【請求項８】
前記選択電圧パターンは、前記フィールドのそれぞれにおいて、電圧極性が順番に組み
替えられていることを特徴とする請求項７に記載された電気光学装置の駆動方法。
【請求項９】
前記第１のステップは、前記表示部において隣接した前記走査電極の集合である前記グ
ループのそれぞれから、分散した前記ｋ本の走査電極を同時に選択するステップであるこ
とを特徴とする請求項７または８に記載された電気光学装置の駆動方法。
【請求項１０】
前記第１のステップは、前記表示部において分散した前記走査電極の集合である前記グ
ループのそれぞれから、隣接した前記ｋ本の走査電極を同時に選択するステップであるこ
とを特徴とする請求項７または８に記載された電気光学装置の駆動方法。
【請求項１１】
前記第１のステップは、前記選択電圧パターンを構成するそれぞれの電圧極性をフィー
ルド数分に並べることによって規定されるｋ個のコモンパターンを前記グループのそれぞ
れに対して、正転および反転させながら繰り返し割り当てるステップを含むことを特徴と
する請求項９または１０に記載された電気光学装置の駆動方法。
【発明の詳細な説明】
【技術分野】
【０００１】
本発明は、電気光学装置、電気光学装置の駆動方法および電子機器に係り、特にマルチ
ライン駆動に関する。
【背景技術】
【０００２】
従来より、単純マトリクス型パネルの駆動方式の一つとして、複数の走査電極を同時に
選択して表示を行うマルチライン駆動（以下、ＭＬＳ駆動という）が知られている。例え
ば、特許文献１には、１フレームを複数のフィールドに分割し、走査電極の選択をフィー
ルド毎に行うＭＬＳ駆動について開示されており、特に、その第４８図には、同時に選択
される各走査電極に印加する選択電圧の極性を規定する選択電圧パターン（走査パターン
）が示されている。
【特許文献１】特開２００１−２３６０４４号公報
【発明の開示】
【発明が解決しようとする課題】
【０００３】
上述した従来のマルチライン駆動では、同時に選択される複数の走査電極に印加する選
択電圧の波形の違いに起因して、それぞれの画素がオン／オフするタイミングにずれが生
じる。そのため、視線が変化した際、或いは、ディスプレイが動いた際に、表示に筋状の
むらが発生して、これが瞬間的なチラツキとして見えることがあった。
【０００４】
本発明は、かかる事情に鑑みてなされたものであり、その目的は、視線の変化等に起因
して生じる筋状のむらを抑制し、表示品質の向上を図ることである。
【課題を解決するための手段】
【０００５】
かかる課題を解決するために、第１の発明は、走査電極群および信号電極群の交差に対
応して画素群が設けられた表示部と、走査線駆動回路と、データ線駆動回路とを有する電
気光学装置を提供する。走査線駆動回路は、１フレームを分割することによって規定され
る一連のフィールドのそれぞれにおいて、走査電極群を分割することによって得られる複
数のグループからｋ（ｋは２以上の整数）本の走査電極を同時に選択する。そして、走査
線駆動回路は、フィールド毎に設定される選択電圧パターンとしてのｋ個の電圧極性の並
びに応じて、ｋ本の走査電極に選択電圧を印加する。データ線駆動回路は、ｋ本の走査電
極および信号電極の交差に対応した表示パターンと、選択電圧パターンとを比較し、その
比較結果に基づき設定された信号電圧を信号電極に印加する。選択電圧パターンに記述さ
れた一方の電圧極性は、フィールドの推移に伴い連続的にシフトしている。また、選択電
圧パターンは、フィールドのそれぞれにおいて、電圧極性が順番に組み替えられているこ
とが好ましい。
【０００６】
第１の発明において、走査線駆動回路は、表示部において隣接した走査電極の集合であ
るグループのそれぞれから、分散したｋ本の走査電極を同時に選択してもよい。また、走
査線駆動回路は、表示部において分散した走査電極の集合であるグループのそれぞれから
、隣接したｋ本の走査電極を同時に選択してもよい。さらに、これらの場合において、走
査線駆動回路は、選択電圧パターンを構成するそれぞれの電圧極性をフィールド数分に並
べることによって規定されるｋ個のコモンパターンを、各グループに対して正転および反
転させながら繰り返し割り当ててもよい。
【０００７】
第２の発明は、上述した第１の発明にかかる電気光学装置を実装した電子機器を提供す
る。
【０００８】
第３の発明は、走査電極群と信号電極群との交差に対応して画素群が設けられた表示部
を有する電気光学装置の駆動方法を提供する。この駆動方法は、１フレームを分割するこ
とによって規定される一連のフィールドのそれぞれにおいて、走査電極群を分割すること
によって得られる複数のグループからｋ（ｋは２以上の整数）本の走査電極を同時に選択
し、フィールド毎に設定される選択電圧パターンとしてのｋ個の電圧極性の並びに応じて
、ｋ本の走査電極に選択電圧を印加する第１のステップと、ｋ本の走査電極および信号電
極の交差に対応した表示パターンと、選択電圧パターンとを比較し、当該比較結果に基づ
き設定された信号電圧を信号電極に印加する第２のステップとを有する。選択電圧パター
ンに記述された一方の電極は、フィールドの推移に伴い連続的にシフトしている。また、
選択電圧パターンは、フィールドのそれぞれにおいて、電圧極性が順番に組み替えられて
いることが好ましい。
【０００９】
第３の発明において、第１のステップは、表示部において隣接した走査電極の集合であ
るグループのそれぞれから、分散したｋ本の走査電極を同時に選択するステップであって
もよい。また、第１のステップは、表示部において分散した走査電極の集合であるグルー
プのそれぞれから、隣接したｋ本の走査電極を同時に選択するステップであってもよい。
さらに、これらの場合において、第１のステップは、選択電圧パターンを構成するそれぞ
れの電圧極性をフィールド数分に並べることによって規定されるｋ個のコモンパターンを
、各グループに対して正転および反転させながら繰り返し割り当てるステップを含んでい
てもよい。
【発明の効果】
【００１０】
本発明によれば、隣接したグループ間における電圧極性のシフトが連続的になるので、
これらのグループ間における選択電圧の波形変化を最小限に留めることができる。その結
果、視線が変化したり、ディスプレイが動いても筋状のむらが発生し難くなるので、表示
品質の向上を図ることができる。
【発明を実施するための最良の形態】
【００１１】
（第１の実施形態）
図１は、本実施形態にかかる電気光学装置のブロック図である。単純マトリクス型の表
示パネル１は、一対の透明なガラス基板と、これらの間に挟持された液晶とによって構成
され、ｍドット×ｎライン分の画素群がマトリクス状（二次元平面的）に並んでいる。表
示部１には、それぞれが水平方向に延在している走査線としての走査電極群Ｙ1〜Ｙnと、
それぞれが垂直方向に延在しているデータ線としての信号電極群Ｘ1〜Ｘmとが設けられて
おり、これらの交差に対応して画素２が配置されている。
【００１２】
制御回路５は、図示しない上位装置より入力される各種の外部信号に基づいて、各種の
内部信号を出力して、走査線駆動回路３およびデータ線駆動回路４を同期制御する。この
同期制御の下、これらの駆動回路３，４は互いに協働して、表示部１の表示制御を行う。
ＭＬＳ駆動において、走査線駆動回路３は、１選択期間（１Ｈ）において、ｋ本（ｋは２
以上の整数）の走査電極Ｙを同時に選択し、所定の順序で選択対象をシフトしていくこと
により、すべての走査電極Ｙ1〜Ｙnを選択する。同時に選択されるｋ本の走査電極Ｙに対
しては、後述する選択電圧パターン（すなわちｋ個の電圧極性の並び）に応じた選択電圧
が印加される。一方、データ線駆動回路４は、ｋ本の走査電極Ｙおよび１本の信号電極Ｘ
の交差に対応した表示パターンと、予め選ばれた直交関数系により定義される選択電圧パ
ターンとを比較し、その比較結果に基づき設定された信号電圧を信号電極Ｘに印加する。
具体的には、ｋ個の要素からなる表示パターンと、これと同数の要素からなる選択電圧パ
ターンとを、位置的に対応した要素毎に比較することによって、一致しない要素の数（不
一致数）が算出される。この不一致数に応じて、予め設定された複数の信号電圧のいずれ
かが特定される。信号電圧は、直交変換時の「ベクトルの重み」に相当する電圧レベルに
設定されている。そして、後述するフィールド数分の選択電圧パターンに対して、すべて
の重みを加えることにより、本来の階調が再現される。なお、不一致数に基づいた信号電
圧の具体的な設定手法については、特開２００１−２３６０４４号公報に開示されている
ので必要ならば参照されたい。また、表示パターンと選択電圧パターンとの比較手法は、
上述した不一致数に限定されるものではなく、それ以外の周知な手法、例えば、一致数、
または、一致数と不一致数との差を用いてもよい。
【００１３】
図２は、本実施形態にかかる選択電圧パターンの説明図である。１画像の表示期間に相
当する１フレーム（１Ｆ）は、複数のフィールドｓｆに分割されており、本実施形態では
、一例として４つのフィールドｓｆ1〜ｓｆ4が規定されている。走査電極Ｙ1〜Ｙnの選択
プロセスは、一連のフィールドｓｆ1〜ｓｆ4のそれぞれにおいて実行され、１フレームで
は４回の選択プロセスが繰り返される。一方、ｋ個のコモンパターン（以下、ＣＯＭパタ
ーンという）は、選択電圧パターンを構成する各要素（電圧極性）をフィールド数分に並
べることによって規定される。一つのＣＯＭパターンは、一連のフィールドｓｆ1〜ｓｆ4
において、一の走査電極Ｙに印加される選択電圧の極性の推移を示している。同図におい
て、「＋」は選択電圧が正極レベル（＋Ｖ1）であることを意味し、「−」は選択電圧が
負極レベル（−Ｖ1）であることを意味している。したがって、ＣＯＭパターン１が適用
される走査電極Ｙに関しては、１Ｆにおいて「−Ｖ1→＋Ｖ1→＋Ｖ1→＋Ｖ1」の順序で選
択電圧が印加される。同様に、ＣＯＭパターン２が適用される走査電極Ｙに関しては「＋
Ｖ1→−Ｖ1→＋Ｖ1→＋Ｖ1」、ＣＯＭパターン３が適用される走査電極Ｙに関しては「＋
Ｖ1→＋Ｖ1→−Ｖ1→＋Ｖ1」の順序で選択電圧が印加される。
【００１４】
用意すべきＣＯＭパターンの個数は、同時に選択する走査電極Ｙの本数（換言すればグ
ループの個数）と同一である。すなわち、３本（ｋ＝３）の走査電極Ｙを同時に選択する
場合には、ＣＯＭパターンを３つ用意する必要がある。同時選択の対象となるのは、ＣＯ
Ｍパターン１〜３のそれぞれから１本ずつ選択された合計３本の走査電極Ｙであり、その
選択電圧パターンはフィールド毎に個別に設定されている。最初のフィールドｓｆ1にお
ける選択電圧パターンは（−＋＋）であるから、このフィールドｓｆ1では、ＣＯＭパタ
ーン１が適用される走査電極Ｙには−Ｖ1、ＣＯＭパターン２が適用される走査電極Ｙに
は＋Ｖ1、ＣＯＭパターン３が適用される走査電極Ｙには＋Ｖ1がそれぞれ印加される。２
番目のフィールドｓｆ2における選択電圧パターンは（＋−＋）であるから、３本の走査
電極Ｙには（＋Ｖ1，−Ｖ1，＋Ｖ1）がそれぞれ印加される。同様に、選択電圧パターン
が（＋＋−）である３番目のフィールドｓｆ3では（＋Ｖ1，＋Ｖ1，−Ｖ1）が印加され、
選択電圧パターンが（＋＋＋）である最後のフィールドｓｆ4では（＋Ｖ1，＋Ｖ1，＋Ｖ1
）が印加される。
【００１５】
本実施形態の特徴の一つは、選択電圧パターンの設定の仕方にあり、具体的には、フィ
ールドｓｆ1〜ｓｆ4の推移に伴い正極および負極の一方が”連続的”にシフトしている点
に特徴がある。例えば、最初のフィールドｓｆ1から２番目のフィールドｓｆ2に推移する
場合、「−」がＣＯＭパターン１からＣＯＭパターン２へ最小のシフト量（＝１）でシフ
トしている。２番目のフィールドｓｆ2から３番目のフィールドｓｆ3に推移する場合も同
様であり、「−」がＣＯＭパターン2からＣＯＭパターン3へ最小のシフト量でシフトして
いる。フィールドｓｆ1〜ｓｆ3のそれぞれの選択電圧パターンは、１個の「−」と２個の
「＋」という３要素の組み合わせであり、３つの電圧極性をフィールド毎に順番に組み替
えたものである。これにより、「−」は、フィールドの推移にしたがって１つずつ下側へ
と順次シフトしていく。ここで、本明細書でいう”連続的”とは、例えば（−＋＋）から
（＋＋−）へのシフト（シフト量＝２）の如く、「−」が１つ飛び以上、すなわち非連続
でシフトする部分を含む選択電圧パターンを排除する意味で用いており、図示したｓｆ3
（−＋＋）からｓｆ4（＋＋＋）への移行を排除するものではない。なお、図２に示した
選択電圧パターンでは、連続シフトさせる電圧極性を「−」としているが、これに代えて
「＋」を連続シフトさせてもよい。
【００１６】
図３は、本実施形態にかかるＭＬＳ駆動のタイミングチャートである。同図に示した例
では、上段の走査電極Ｙ1〜Ｙn/3を１グループ化してＣＯＭパターン１、中段の走査電極
Ｙn/3+1〜Ｙ2n/3を１グループ化してＣＯＭパターン２、そして、下段の走査電極Ｙ2n/3+
1〜Ｙnを１グループ化してＣＯＭパターン３がそれぞれ割り当てられている。走査線駆動
回路３は、表示部１において隣接した走査電極Ｙの集合である各グループから、分散した
３本の走査電極Ｙを同時に選択する。
【００１７】
具体的には、フィールドｓｆ1の最初の１Ｈにおいて、走査線駆動回路３は、３つのグ
ループから１本ずつ走査電極Ｙを選択して、全走査電極Ｙ1〜Ｙnの約１／３離れた間隔で
走査電極Ｙ1，Ｙn/3+1，Ｙ2n/3+1を同時に選択する。このフィールドｓｆ1の選択電圧パ
ターンは（−＋＋）であるから、走査電極Ｙ1は−Ｖ1、走査電極Ｙn/3+1は＋Ｖ1、走査電
極Ｙ2n/3+1は＋Ｖ1といった選択電圧が印加される。そして、この１Ｈが経過した時点で
、走査電極Ｙ1，Ｙn/3+1，Ｙ2n/3+1に対して非選択電圧（例えば０Ｖ）が印加されるとと
もに、同じ選択電圧パターン（−＋＋）で、次の３本の走査電極Ｙ2，Ｙn/3+2，Ｙ2n/3+2
が同時に選択される。以下、最後の走査電極Ｙn/3，Ｙ2n/3，Ｙnに至るまで、選択電圧パ
ターン（−＋＋）を適用しながら、３本の走査電極単位での選択プロセスが繰り返される
。その結果、フィールドｓｆ1では、ＣＯＭパターン１が適用される上段の走査電極Ｙ1〜
Ｙn/3に対してのみ負極の選択電圧（−Ｖ1）がパルス状に印加され、このパルス波形は下
方の走査電極Ｙに向かって１Ｈ毎に順次シフトしていく。
【００１８】
続くフィールドｓｆ2の最初の１Ｈにおいて、走査線駆動回路３は、３本の走査電極Ｙ1
，Ｙn/3+1，Ｙ2n/3+1を同時に選択し、これらに選択電圧を印加する。このフィールドｓ
ｆ2の選択電圧パターンは（＋−＋）であるから、走査電極Ｙ1は＋Ｖ1、走査電極Ｙn/3+1
は−Ｖ1、走査電極Ｙ2n/3+1は＋Ｖ1といった選択電圧が印加される。そして、この１Ｈが
経過した時点で、走査電極Ｙ1，Ｙn/3+1，Ｙ2n/3+1に対して非選択電圧が印加されるとと
もに、同じ選択電圧パターン（＋−＋）で、次の３本の走査電極Ｙ2，Ｙn/3+2，Ｙ2n/3+2
が同時に選択される。以下、最後の走査電極Ｙn/3，Ｙ2n/3，Ｙnに至るまで、選択電圧パ
ターン（＋−＋）を適用しながら、３本の走査電極単位での選択プロセスが繰り返される
。その結果、フィールドｓｆ2では、ＣＯＭパターン２が適用される中段の走査電極Ｙn/3
+1〜Ｙ2n/3に対してのみ負極の選択電圧（−Ｖ1）が印加され、この波形は下方の走査電
極Ｙに向かって１Ｈ毎に順次シフトしていく。ＣＯＭパターン１が適用されるグループか
らＣＯＭパターン２が適用されるグループへの変わり目、すなわち、走査電極Ｙn/3，Ｙn
/3+1の間では、負極のパルス波形が１Ｈ分のシフトで連続しているため、走査波形の変化
量が最小となる。
【００１９】
続くフィールドｓｆ3の最初の１Ｈにおいて、走査線駆動回路３は、３本の走査電極Ｙ1
，Ｙn/3+1，Ｙ2n/3+1を同時に選択し、これらに選択電圧を印加する。このフィールドｓ
ｆ3の選択電圧パターンは（＋＋−）であるから、走査電極Ｙ1は＋Ｖ1、走査電極Ｙn/3+1
は＋Ｖ1、走査電極Ｙ2n/3+1は−Ｖ1といった選択電圧が印加される。そして、この１Ｈが
経過した時点で、走査電極Ｙ1，Ｙn/3+1，Ｙ2n/3+1に対して非選択電圧が印加されるとと
もに、同じ選択電圧パターン（＋＋−）で、次の３本の走査電極Ｙ2，Ｙn/3+2，Ｙ2n/3+2
が同時に選択される。以下、最後の走査電極Ｙn/3，Ｙ2n/3，Ｙnに至るまで、選択電圧パ
ターン（＋＋−）を適用しながら、３本の走査電極単位での選択プロセスが繰り返される
。その結果、フィールドｓｆ3では、ＣＯＭパターン３が適用される下段の走査電極Ｙ2n/
3+1〜Ｙnに対してのみ負極の選択電圧（−Ｖ1）が印加され、この波形は下方の走査電極
Ｙに向かって１Ｈ毎に順次シフトしていく。ＣＯＭパターン２が適用されるグループから
ＣＯＭパターン３の適用されるグループへの変わり目、すなわち、走査電極Ｙ2n/3，Ｙ2n
/3+1の間では、負極のパルス波形が１Ｈ分のシフトで連続しているため、走査波形の変化
量が最小となる。
【００２０】
そして、フィールドｓｆ4の最初の１Ｈにおいて、走査線駆動回路３は、３本の走査電
極Ｙ1，Ｙn/3+1，Ｙ2n/3+1を同時に選択し、これらに選択電圧を印加する。このフィール
ドｓｆ4の選択電圧パターンは（＋＋＋）であるから、３本の走査電極Ｙ1，Ｙn/3+1，Ｙ2
n/3+1に対して＋Ｖ1が一律に印加される。そして、この１Ｈが経過した時点で、走査電極
Ｙ1，Ｙn/3+1，Ｙ2n/3+1に対して非選択電圧が印加されるとともに、同じ選択電圧パター
ン（＋＋＋）で、次の３本の走査電極Ｙ2，Ｙn/3+2，Ｙ2n/3+2が同時に選択される。以下
、最後の走査電極Ｙn/3，Ｙ2n/3，Ｙnに至るまで、選択電圧パターン（＋＋＋）を適用し
ながら、３本の走査電極単位での選択プロセスが繰り返される。
【００２１】
このように、本実施形態では、ＣＯＭパターンの変わり目で走査波形の変化量が最小と
なるように、各フィールドｓｆ1〜ｓｆ4の選択電圧パターンを設定している。それゆえに
、図３で太い点線で囲んだ負極のパルス波形が１Ｈ分のシフトで連続するので、グループ
の変わり目における走査電圧の波形変化を最小限に留めることができる。その結果、視線
が変化したり、ディスプレイが動いても筋状のむらが発生し難くなるので、表示品質の向
上を図ることができる。
【００２２】
（第２の実施形態）
上述した第１の実施形態は、走査電極群Ｙ1〜Ｙnを３つに分割した例であるのに対して
、第２の実施形態は、図２と同様の選択電圧パターンを用いて、分割数を３よりも大きく
設定し、ＣＯＭパターン１〜３を重複設定する例に関する。
【００２３】
図４は、本実施形態にかかる走査電極群Ｙ1〜Ｙnのグループ化の説明図である。ＣＯＭ
パターン１が適用されるグループは、走査電極Ｙ1〜Ｙn/9，Ｙ5n/9+1〜Ｙ6n/9，Ｙ6n/9+1
〜Ｙ7n/9の３つである。また、ＣＯＭパターン２が適用されるグループは、走査電極Ｙn/
9+1〜Ｙ2n/9，Ｙ4n/9+1〜Ｙ5n/9，Ｙ7n/9+1〜Ｙ8n/9の３つ、ＣＯＭパターン３が適用さ
れるグループは、走査電極Ｙ2n/9+1〜Ｙ3n/9，Ｙ3n/9+1〜Ｙ4n/9，Ｙ8n/9+1〜Ｙnの３つ
である。ＣＯＭパターン１〜３は、隣接した３グループ毎に正転および反転させながら、
各グループに順番に繰り返し割り当てられている。正転、すなわち、ＣＯＭパターン１，
２，３の昇順で割り当てられる領域は、Ｙ1〜Ｙ3n/9，Ｙ6n/9+1〜Ｙnである。また、反転
、すなわち、ＣＯＭパターン３，２，１の降順で割り当てられる領域は、Ｙ3n/9+1〜Ｙ6n
/9である。
【００２４】
走査線駆動回路３は、表示部１において隣接した走査電極Ｙの集合である各グループか
ら、分散した走査電極Ｙを３本ずつ同時に選択していく。例えば、最初のフィールドｓｆ
1の選択プロセスについて説明すると、まず、３つのグループＹ1〜Ｙn/9，Ｙn/9+1，Ｙ2n
/9+1が選択対象となって、走査電極Ｙ1，Ｙn/9+1，Ｙ2n/9+1が最初に選択され、次に走査
電極Ｙ2，Ｙn/9+2，Ｙ2n/9+2が選択される。それ以降、最後の走査電極Ｙn/9，Ｙ2n/9，
Ｙ3n/9が選択されるまで、３本の走査電極Ｙが順次選択されていく。最後の走査電極Ｙn/
9，Ｙ2n/9，Ｙ3n/9の選択が終了すると、選択対象がグループＹ3n/9+1〜Ｙ4n/9，Ｙ5n/9+
1〜Ｙ6n/9，Ｙ6n/9+1〜Ｙ7nにシフトして、３本の走査電極単位での選択が同様に行われ
る。そして、これらのグループにおける最後の走査電極Ｙ4n/9，Ｙ5n/9，Ｙ6n/9の選択が
終了すると、選択対象がグループＹ6n/9+1+〜Ｙ7n/9，Ｙ7n/9+1〜Ｙ8n/9，Ｙ8n/9+1〜Ｙn
にシフトして、同様の選択が行われる。なお、それ以外の点については第１の実施形態と
同様であるから、ここでの説明を省略する。
【００２５】
このように、本実施形態によれば、上述した第１の実施形態と同様に、走査電圧の波形
変化を最小限に留めることができるので、視線の変化等に起因した筋状のむらを抑制でき
、表示品質の向上を図ることができる。なぜなら、隣接したグループ間で負極のパルス波
形が１Ｈ分のシフトで連続するからである。また、３個のＣＯＭパターン１〜３をそれよ
りも多い個数のグループに交互に正転／反転させながら繰り返し割り当てているので、予
め設定するＣＯＭパターンの個数が少なくて済む。したがって、ＣＯＭパターンを生成す
るための回路構成を簡略化できるという効果もある。
【００２６】
（第３の実施形態）
図５は、本実施形態にかかる走査電極群Ｙ1〜Ｙnのグループ化の説明図である。本実施
形態では、表示部１において分散した走査電極Ｙの集合としてグループを定義し、走査電
極群Ｙ1〜Ｙnを１水平ライン単位でストライプ状に分割する。そして、例えば、走査電極
Ｙ1〜Ｙ3は正転、続く走査電極Ｙ4〜Ｙ6は反転といったように、ＣＯＭパターン１〜３を
３本の走査電極単位（３つの隣接したグループ単位）で交互に正転／反転させながら繰り
返し割り当てていく。走査線駆動回路３は、各グループから走査電極Ｙを１本ずつ選択し
、隣接した３本の走査電極Ｙ（例えばＹ1〜Ｙ3）を同時に選択する。なお、それ以外の点
については上述した実施形態と同様であるから、ここでの説明を省略する。
【００２７】
本実施形態によれば、上述した第２の実施形態と同様に、視線の変化等に起因した筋状
のむらを抑制でき、表示品質の向上を図ることができる他、ＣＯＭパターンを生成するた
めの回路構成を簡略化できるという効果もある。
【００２８】
なお、上述した各実施形態での選択電圧パターンであるＣＯＭパターン１〜３の順番を
入れ替えて、例えば、下表のように設定してもよい。
【表１】
2005292585.tif 000003
【００２９】
なお、上述した各実施形態にかかる電気光学装置は、例えば、テレビ、プロジェクタ、
携帯電話、携帯端末、モバイル型コンピュータ、パーソナルコンピュータ等を含む様々な
電子機器に実装可能である。図６は、一例として、上述した各実施形態にかかる電気光学
装置を実装した携帯電話１０の斜視図である。この携帯電話１０は、複数の操作ボタン１
１のほか、受話口１２、送話口１３とともに、上述した表示部１を備えている。これらの
電子機器に上述した電気光学装置を実装すれば、電子機器の商品価値を一層高めることが
でき、市場における電子機器の商品訴求力の向上を図ることができる。
【図面の簡単な説明】
【００３０】
【図１】電気光学装置のブロック構成図
【図２】第１の実施形態にかかる選択電圧パターンの説明図
【図３】第１の実施形態にかかるＭＬＳ駆動のタイミングチャート
【図４】第２の実施形態にかかる走査電極群のグループ化の説明図
【図５】第３の実施形態にかかる走査電極群のグループ化の説明図
【図６】電気光学装置を実装した携帯電話の斜視図
【符号の説明】
【００３１】
１  表示部
２  画素
３  走査線駆動回路
４  データ線駆動回路
５  制御回路
【図１】
2005292585.tif 000004
【図２】
2005292585.tif 000005
【図３】
2005292585.tif 000006
【図４】
2005292585.tif 000007
【図５】
2005292585.tif 000008
【図６】
2005292585.tif 000009